(57)【要約】【課題】刈刃の側面に大きな力が加わった場合でも、破損を抑制し、安定した草刈作業が行える刈払機を提供することである。【解決手段】  出力軸７に着脱自在に取り付けられる刃受け金具９、刃押さえ金具１０、刈刃８を設け、刃受け金具９、刃押さえ金具１０、刈刃８は、弾性体１１を介し、締結部材１２により出力軸７の段付部７ａに押付けられる。すなわち、出力軸７の回転駆動力は、弾性体１１の押付力により生じる刃押さえワッシャ９、１０の摩擦力により回転刃物８に伝達される。弾性部材１１により押付力を一定にしたため、出力軸７の回転刃物８への回転駆動力を一定にでき、草刈作業の時間を短くするため、過大な力で切断しようとしても、刃受け金具９、刃押さえ金具１０と刈刃８がすべり、回転駆動源であるエンジン１や回転駆動力を伝達する各部への過大な負荷が加わらないようにした。【選択図】図２
2012249526.tif 000002
【特許請求の範囲】
【請求項１】
駆動源と、
前記駆動源からの駆動力により回転する駆動軸と、
前記駆動軸を回転可能に支持するギヤケースと、
前記ギヤケースから突出する前記駆動軸に設けられ、回転刃を弾性的に挾持して取り付け可能な刈刃支持部と、
前記駆動軸の端部に螺合し、前記刈刃支持部を前記駆動軸に取り付ける締結部材と、
を備えたことを特徴とする刈払機。
【請求項２】
前記刈刃支持部は、前記回転刃と前記締結部材との間に設けられる刃押さえ金具を備え、
前記刃押さえ金具と前記締結部材との間には、前記締結部材を前記駆動軸に取り付けた状態で弾性圧縮される弾性部材が設けられる、
ことを特徴とする請求項１に記載の刈払機。
【請求項３】
前記締結部材と前記刃押さえ金具との間には、カップ状のナットカバーが設けられると共に、前記弾性部材は、前記ナットカバーの内部に収容される、
ことを特徴とする請求項２に記載の刈払機。
【発明の詳細な説明】
【技術分野】
【０００１】
本発明は、操作棹の先端に設けた刈刃により雑草や下草等を刈り取る刈払機に関し、特に、刈刃の取付部に関する。
【背景技術】
【０００２】
田畑の畦道や山林等に生えた雑草や下草などを刈り払うために、携帯式の刈払機が使用されている。刈払機は中空棒状に形成された操作棹の先端に取り付けられた刈刃（回転刃）を備え、この刈刃は操作棹の後端に取り付けられた駆動源により回転駆動される。駆動源としてはエンジンや電動モータが用いられ、駆動源の回転は操作棹の内部に回転自在に収容された伝達軸を介して刈刃に伝達される。このようなアーム連結タイプの刈払機としては、駆動源を背負い架台に搭載するようにした背負い式、操作棹に取り付けられたループ状のベルトを肩に掛けるようにした肩掛け式とがあり、何れの場合も操作棹に取り付けられたハンドルを手に持って作業が行われる。
【０００３】
従来、刈刃の取付部としては、回転駆動源からの動力を伝達し回転する出力軸に着脱自在に嵌合される２個の刃押さえワッシャ間へ刈刃を保持し、刃押さえワッシャを締結部材で直接締付け、刈刃と刃押さえワッシャの摩擦力で刈刃を回転駆動させるものであり、刈刃の回転駆動力は、締結部材の締付け具合で大きく変化していた。
【先行技術文献】
【特許文献】
【０００４】
【特許文献１】特開２００８−１６１０６２号公報
【発明の概要】
【発明が解決しようとする課題】
【０００５】
従来の刈払機は、刈刃を保持する刃押さえワッシャを直接締結部材にて固定するため、締結部材の締付け具合により、刈刃の回転駆動力は大きく変化していた。このため、例えば締結部材の締付けが弱い場合は、刈刃の摩擦保持力が弱くなり回転駆動力も小さくなるため、草等を切断する際に大きな切削力を加える事ができず、草刈作業の時間が長くなってしまう。
【０００６】
一方、締結部材の締付けが強い場合は、刈刃の摩擦保持力が強くなり回転駆動力も大きくなり、草等を切断する際に大きな切削力を加える事ができ、草刈作業の時間も早くできるが、反面、回転駆動源や回転駆動力を伝達する各部に過大な負荷を加えやすくなるため、早期故障等の原因となる。た、刃押さえ金具を直接締結部材にて固定するため、刈刃の側面に大きな力が加わった際、刈刃が曲げられ、最悪刈刃の破損に至る恐れがあった。
【０００７】
本発明の目的は、上記した従来の欠点をなくし、刈刃の回転駆動力を一定にし、回転駆動源や回転駆動力を伝達する各部への過大な負荷を押さえるとともに、刈刃の側面に大きな力が加わった場合でも、刈刃の破損を防止し、安定した草刈作業が行える刈払機を提供することである。
【課題を解決するための手段】
【０００８】
本発明の刈払機は、駆動源と、前記駆動源からの駆動力により回転する駆動軸と、前記駆動軸を回転可能に支持するギヤケースと、前記ギヤケースから突出する前記駆動軸に設けられ、前記回転刃を弾性的に挾持して取り付ける刈刃支持部と、前記駆動軸の端部に螺合し、前記刈刃支持部を前記駆動軸に取り付け可能な締結部材と、を備えたことを特徴とする。
【０００９】
また、前記刈刃支持部は、前記回転刃と前記締結部材との間に設けられる刃押さえ金具を備え、前記刃押さえ金具と前記締結部材との間には、前記締結部材を前記駆動軸に取り付けた状態で弾性圧縮される弾性部材が設けられることを特徴とする。
【００１０】
また、前記締結部材と前記刈刃支持部との間には、カップ状のナットカバーが設けられると共に、前記弾性部材は、前記ナットカバーの内部に収容される、ことを特徴とする。
【発明の効果】
【００１１】
本発明によれば、刈刃の固定は、弾性部材を介して刃押さえ金具を押付けるようにし、刈刃の回転駆動力を一定にしたので、草刈切断の時間を短くするため、過大な力で草刈作業をしようとしても、刃押さえ金具と刈刃がすべり、回転駆動源や回転駆動力を伝達する各部への過大な負荷による故障を防止でき、常に安定した草刈作業が行なえる。
【００１２】
また、刈刃の側面に大きな力が加わった場合でも、刃押さえ金具間と刈刃の間にスキマができ、刈刃が横に逃げることができ、また、摩擦力がなくなり刈刃の回転が止まるため、刈刃の破損を防止できる。
【図面の簡単な説明】
【００１３】
【図１】本発明の一実施例を示すエンジン刈払機の側面図である。
【図２】図１のＡ−Ａ線断面拡大図である。
【図３】図２の刈刃の側面に荷重が加わった時の状態図である。
【発明を実施するための形態】
【００１４】
以下、本発明の一実施の形態について、図面を用いて詳細に説明する。図１は本発明の一実施例を示すエンジン刈払機の側面図、図２は図１のＡ−Ａ線における一部断面拡大図、図３は図２の刈刃の側面に荷重が加わった時の状態図である。
【００１５】
図１に示す刈払機２０は携帯式の刈払機であり、例えば、田畑の畦道や山林等に生えた雑草や下草などを刈り払う際に使用される。刈払機２０は、操作棹２の一端にエンジン１（駆動源）が設けられると共に、他端にギヤケース３が軸支されている。操作棹２は中空棒状の部材により形成され、その内部には伝達軸が回転自在に収容されている。操作棹２の先端にはギヤケース３が取り付けられ、このギヤケース３に回転自在に設けられた出力軸７に刈刃８が取り付けられている。また、操作棹２上には、本機を操作するためのハンドル４が設けられ、刈刃８よりハンドル側には、草刈作業時の草等の飛散を防止する飛散防護カバー５が設けられている。
【００１６】
エンジン１内には、図示しないピストンの往復動を回転駆動力に変換するクランク軸が設けられている。操作棹２内にはクランク軸の回転駆動力を伝達する図示しない駆動伝達軸が設けられている。また、ギヤケース３内には、駆動伝達軸の回転駆動力を出力軸７に伝達する図示しないギヤなどの伝達手段を設けられている。
【００１７】
出力軸７つまり操作棹２の先端に取り付けられる刈刃８としては、例えば、丸鋸タイプの刈刃８や、３枚刃タイプの刈刃などが使用される。これらの刈刃１６は、何れも、鋼材製となっている。
【００１８】
図２に示すように、刈刃８はナット１２により出力軸７に取り付けられる。刈刃８を出力軸７に取り付ける際には、刈刃８の軸心つまり径方向中心部に設けられた貫通孔に出力軸７が挿通される。ここで、出力軸７には最初に円環状のワッシャからなる刃受け金具９が取り付けられ、刈刃８は、その貫通孔を出力軸９に挿通させて刃受け金具９の刃押さえ面に軸方向から突き当てられる。さらに出力軸７には刃受け金具９と同じく円環状のワッシャからなる刃押さえ金具１０が装着され、刈刃８は刃受け金具９と刃押さえ金具８との間に挟み込まれる。この状態で出力軸７に形成された雄ねじ部にナット１２がネジ止めされ、刈刃８はナット１２の締結力により刃受け金具９と刃押さえ金具１０との間に挟み込まれて出力軸７に固定される。このように出力軸７に取り付けられた刈刃８は、出力軸７とともにギヤケース３に対して回転自在である。
【００１９】
操作棹１の後端には駆動源としてのエンジンが取り付けられている。このエンジン１は２サイクルのガソリンエンジンであり、その出力軸（クランク軸）は図示しない伝達軸に連結されている。ギヤケース３にはベベルギヤ対（傘歯車対）が内装されており、このベベルギヤ対により出力軸７は伝達軸に連結されている。これにより、エンジン１が作動すると、伝達軸とベベルギヤ対とを介してエンジン１の出力が出力軸７に伝達され、エンジン１により刈刃８が回転駆動される。このように、この刈払機２０は操作棹２により刈刃８とエンジン１とが連結された棹連結タイプとなっている。
【００２０】
回転駆動源であるエンジン１から回転駆動力が伝達され回転する出力軸７には、刃受け金具９と刃押さえ金具１０とから構成される刈刃支持部、及び刈刃８が着脱自在に嵌合されている。刃受け金具９は出力軸７の段付部７ａに取り付けられ、反対側に刃押さえ面を有する。出力軸７には、刃受け金具９と同軸に刈刃８が取り付けられ、刃受け金具９と共に刃押さえ面により刈刃を挟み込んで押さえる刃押さえ金具１０が取り付けられる。出力軸７の端部には雄ねじが形成され、雌ねじが形成されたナット１２が端部に取り付けられる。
【００２１】
ここで、本実施の形態では、刃受け金具９、刈刃８、及び刃押さえ金具１０は弾性部材１１を介してナット１２によりギヤケース７の段付部７ａに押付けられる。すなわち、出力軸７の回転駆動力は、弾性部材１１の押付力により生じる刃受け金具９及び刃押さえ金具１０の摩擦力により刈刃８に伝達される。弾性部材１１としては、刃受け金具９と刃押さえ金具との間を弾性的に挟み込む付勢力を与えられるものであれば何でも良いが本実施形態では、金属の線材を巻回して形成された円筒状のコイルばねを用いている。他にも、圧縮されたゴム等を用いることができる。
【００２２】
尚、弾性部材１１とナット１２（締結部材）との間にはカップ状に形成されたナットカバー１３が装着され、ナットカバーの凹部にナット１２が収容されるよう構成されていることで、このナットカバー１３により作業時におけるナット１３の保護が図られている。更に、弾性部材１１は、カップ状に形成された内部に収容されて設けられている。
【００２３】
本実施形態によれば、弾性部材１１の圧縮高さＬ、すなわち押付力を一定にできるため、出力軸７の刈刃８への回転駆動力を一定にできるようにしたので、草刈作業の時間を短くするため、過大な力で草等を切断しようとしても、刃受け金具９及び刃押さえ金具１０と刈刃８がすべり、回転駆動源であるエンジン１や図示しない回転駆動力を伝達する各部への過大な負荷による故障等を防止でき、常に安定した草刈作業が行うことが可能となる。
【００２４】
また、図３に示すように、刈刃８の側面に大きな力が加わった場合、弾性部材１１が圧縮されて刃押さえ金具１０が下方に移動することで、刃受け金具９と刃押さえ金具１０との間隔が広がる。これにより、刃受け金具９及び刃押さえ金具１０と刈刃８の間に隙間ができ、刈刃８が横に逃げることができ、また、摩擦力がなくなり刈刃８の回転が止まるため、刈刃８の破損が生じることを抑制できる。
【００２５】
また、刃押さえ金具１０を刈刃８側に付勢する弾性部材１１は、ナットカバー１３の内部に収容されていることから、弾性部材１１に異物が噛み込むといった不具合が生じるのを抑制できると共に、先端側を小型化することができる。また、ナットカバー１３の内部は、図３のように刈刃８に過大な負荷が加わり弾性部材１１が圧縮され、刃押さえ金具１０が下方に移動した際に、刃押さえ金具１０が逃げるための空間ともなっている。
【００２６】
本発明は前記実施の形態に限定されるものではなく、その要旨を逸脱しない範囲で種々変更可能であることは言うまでもない。
【００２７】
例えば、前記実施の形態においては、刃押さえ金具１０とナット１２との間に弾性部材１１を設けるようにしているが、これに限らず、ギヤケース３と刃受け金具９との間に弾性部材を取り付けるようにし、過負荷の際に刃受け金具９が上方に移動するようにしてもよい。また、刃受け金具９と刃押さえ金具１０との間にそれぞれが近接する方向に圧縮力を発生させる弾性部材が設けられていても良い。
【符号の説明】
【００２８】
１    エンジン
２    操作棹
３    ギヤケース
４    ハンドル
５    飛散防護カバー
６    ギヤケース
７    出力軸
７ａ  出力軸の段付部
８    刈刃
９    刃受け金具
１０  刃押さえ金具
１１  弾性部材
１２  ナット
【図１】
2012249526.tif 000003
【図２】
2012249526.tif 000004
【図３】
2012249526.tif 000005